(57)【特許請求の範囲】
【請求項１】
光源ユニットと、反射部材と、前記光源ユニット及び前記反射部材を保持する器具本体とを備え、
前記器具本体は、平板状に形成された取付部の一面に前記光源ユニット及び前記反射部材が交互に並ぶように取り付けられ、
前記光源ユニットは、光源と、透光性を有する材料からなり前記光源から放射される光を透過させるカバーとを有し、
前記カバーは、前記光源と対向するように配置される透光部と、前記光源ユニット及び前記反射部材が並ぶ配列方向における前記透光部の両端から前記透光部と連続するように延出する一対の延出部とを具備し、
前記反射部材は、少なくとも一部が前記取付部から離れるほど互いの間隔が狭くなるように傾斜する一対の反射板と、前記一対の反射板の各々における前記取付部側の端縁から前記取付部側に延びる一対の側板とを具備し、
前記一対の側板のうち前記光源ユニットと対向する少なくとも一方の側板には、前記光源ユニットが取り付けられた前記取付部に前記反射部材を取り付ける際に前記一対の延出部のうち対向する延出部に接触し、且つ前記取付部に前記反射部材を取り付けた取付状態で前記取付部と直交する方向における前記延出部よりも前記取付部側に配置される突出片が設けられており、
前記突出片は、弾性体であって、前記取付状態に至るまでは前記延出部によって前記側板側に撓むように構成されていることを特徴とする照明器具。
【請求項２】
少なくとも２つの前記光源ユニットが前記配列方向に沿って配置され、
少なくとも１つの前記反射部材が２つの前記光源ユニット間に配置され、
前記一対の側板の各々に前記突出片が設けられていることを特徴とする請求項１記載の照明器具。
【請求項３】
前記突出片は、前記延出部に接触する先端部がＲ形状になっていることを特徴とする請求項１又は２記載の照明器具。
【発明の詳細な説明】
【技術分野】
【０００１】
本発明は、一般に照明器具に関し、より詳細には器具本体に対して光源及び反射部材を交互に配置した照明器具に関する。
【背景技術】
【０００２】
従来、天井埋込型の照明器具が提供されている（例えば特許文献１参照）。特許文献１に記載された照明器具は、下面が開口する箱形に形成された器具本体を備え、器具本体の内部には、２本の蛍光ランプが横並びに配置されている。
【０００３】
また、器具本体の内部において２本の蛍光ランプの間には、蛍光ランプからの光を下方へ反射させるＶ字状の反射板が配置されている。この反射板は、器具本体の底面に固定されたホルダに設けたフック状の係止部を、反射板に設けたスリット状の係止孔に引っ掛けることで器具本体に取り付けられる。
【先行技術文献】
【特許文献】
【０００４】
【特許文献１】特開２０００−１５６１１６号公報
【発明の概要】
【発明が解決しようとする課題】
【０００５】
上述の特許文献１に示した照明器具では、係止部及び係止孔以外の保持構造が設けられていないため、例えば係止部を係止孔に引っ掛ける際にうまく引っ掛けることができず、係止部が係止孔から外れることで反射板が落下する可能性があった。また、例えば反射板を器具本体に取り付けた状態において、係止孔に対する係止部の引っ掛かりが十分でなく、係止部が係止孔から外れることで反射板が落下する可能性もあった。
【０００６】
本発明は上記問題点に鑑みてなされており、施工時や施工後において反射部材が落下しにくい照明器具を提供することを目的とする。
【課題を解決するための手段】
【０００７】
本発明の照明器具は、光源ユニットと、反射部材と、前記光源ユニット及び前記反射部材を保持する器具本体とを備え、前記器具本体は、平板状に形成された取付部の一面に前記光源ユニット及び前記反射部材が交互に並ぶように取り付けられ、前記光源ユニットは、光源と、透光性を有する材料からなり前記光源から放射される光を透過させるカバーとを有し、前記カバーは、前記光源と対向するように配置される透光部と、前記光源ユニット及び前記反射部材が並ぶ配列方向における前記透光部の両端から前記透光部と連続するように延出する一対の延出部とを具備し、前記反射部材は、少なくとも一部が前記取付部から離れるほど互いの間隔が狭くなるように傾斜する一対の反射板と、前記一対の反射板の各々における前記取付部側の端縁から前記取付部側に延びる一対の側板とを具備し、前記一対の側板のうち前記光源ユニットと対向する少なくとも一方の側板には、前記光源ユニットが取り付けられた前記取付部に前記反射部材を取り付ける際に前記一対の延出部のうち対向する延出部に接触し、且つ前記取付部に前記反射部材を取り付けた取付状態で前記取付部と直交する方向における前記延出部よりも前記取付部側に配置される突出片が設けられており、前記突出片は、弾性体であって、前記取付状態に至るまでは前記延出部によって前記側板側に撓むように構成されていることを特徴とする。
【発明の効果】
【０００８】
本発明の構成によれば、施工時や施工後において反射部材が落下しにくい照明器具を提供することができるという効果がある。
【図面の簡単な説明】
【０００９】
【図１】図１Ａ〜図１Ｃは本発明の実施形態に係る照明器具において反射部材を取付板に取り付ける手順を説明する説明図である。
【図２】本発明の実施形態に係る照明器具の分解斜視図である。
【図３】本発明の実施形態に係る照明器具の全体斜視図である。
【図４】本発明の実施形態に係る照明器具に用いられる取付板の一部拡大図である。
【図５】本発明の実施形態に係る照明器具において反射部材を取付板に取り付けた状態の一部省略せる斜視図である。
【図６】本発明の実施形態に係る照明器具に用いられる反射部材の断面図である。
【発明を実施するための形態】
【００１０】
本発明の実施形態に係る照明器具について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１１】
なお、以下の説明では特に断りがない限り、図２において前後・左右・上下の各方向を規定する。したがって、本実施形態では、光源ユニット３の長手方向が前後方向、光源ユニット３の短手方向（幅方向）が左右方向、光源ユニット３の高さ方向が上下方向となる。但し、これらの方向は照明器具の取付方向を規定するものではない。
【００１２】
本実施形態の照明器具は、例えば天井板に設けられた埋込孔に器具本体が埋め込まれる天井埋込型の照明器具である。この照明器具は、図２に示すように、支持ブロック１と、光源ブロック２とを備える。また、光源ブロック２は、複数（図２では３つ）の光源ユニット３と、電源装置４と、複数（図２では２つ）の反射部材５と、取付板６とを有する。
【００１３】
光源ユニット３は、ＬＥＤモジュール３０（光源）と、取付部材３１と、カバー３２と、一対のカバーエンド３３と、一対の反射シート３４とを備える。
【００１４】
ＬＥＤモジュール３０は、セラミックスなどの絶縁材料からなる基板３００と、基板３００の表面（下面）に等間隔且つ２列に並べて実装される複数個の発光ダイオード３０１とを有する。また、基板３００の長手方向（前後方向）の一端（後端）には、レセプタクルコネクタ３０２が実装される。
【００１５】
レセプタクルコネクタ３０２は、基板３００に形成されたプリント配線（図示せず）を介して各発光ダイオード３０１と電気的に接続されている。さらに、基板３００は、短手方向（左右方向）における両端に、３つの貫通孔３０３がそれぞれ長手方向（前後方向）に沿って等間隔に設けられている。
【００１６】
取付部材３１は、長尺且つ矩形板状に形成された底壁部３１０と、底壁部３１０の短手方向（左右方向）における両端から上向きに立ち上がる一対の側壁部３１１とを有する角樋状に形成されている。底壁部３１０は、短手方向（左右方向）における両端に、３つの切り起こし片３１２がそれぞれ長手方向（前後方向）に沿って等間隔に設けられている。
【００１７】
ここに、ＬＥＤモジュール３０は、取付部材３１の底壁部３１０と基板３００とが密着した状態で、取付部材３１の６つの切り起こし片３１２が、基板３００の各貫通孔３０３に挿通された後にかしめられることにより、取付部材３１に取り付けられる。
【００１８】
反射シート３４は、ポリエチレンテレフタレートなどの合成樹脂材料によりシート状に形成されている。また、反射シート３４は、白色に着色されることで表面（接着剤が塗布されていない面）が反射面となるように形成されている。
【００１９】
そして、一対の反射シート３４は、発光ダイオード３０１を避けつつ底壁部３１０と基板３００に被さるように、底壁部３１０と基板３００の表面（下面）に貼り付けられる。つまり、発光ダイオード３０１から放射される光を反射シート３４の反射面に反射させることで、より多くの光を照明空間に照射することができる。
【００２０】
カバー３２は、アクリル樹脂やポリカーボネート樹脂などの透光性を有する材料により、略半円筒形の透光部３２０と、透光部３２０の短手方向（左右方向）における両端部より互いに並行するように上向きに突出する一対の突壁部３２１とが一体に形成されている。また、各突壁部３２１の先端（上端）には、内向きに突出する突起部３２１０がそれぞれ一体に設けられている。
【００２１】
さらに、透光部３２０の短手方向における両端部には、透光部３２０と連続するように各突壁部３２１の外側まで延出する延出部３２２がそれぞれ一体に形成されている。そして、カバー３２は、各突壁部３２１の突起部３２１０が、取付部材３１の各側壁部３１１の先端（上端）に引っ掛かることにより、ＬＥＤモジュール３０の前方（下方）を覆うように取付部材３１の下面側に取り付けられる。
【００２２】
なお、カバー３２は乳白色の拡散材が混入され、ＬＥＤモジュール３０から放射される光を拡散させて照明空間へ照射するように構成されている。
【００２３】
カバーエンド３３は、カバー３２と同じ材料で半円板状に形成され、カバー３２及び取付部材３１の長手方向における両端にそれぞれ取り付けられる。
【００２４】
電源装置４は、交流の電圧・電流を直流の電圧・電流に変換する電力変換回路や入力端子台４１、出力端子台（図示せず）、信号端子台４２などが実装されたプリント配線板（図示せず）が金属製のケース４０に収納されて構成される。なお、入力端子台４１と信号端子台４２は、プリント配線板の前端部に実装され、出力端子台は、プリント配線板の後端部に実装される。
【００２５】
ケース４０は、角樋状に形成されたケース本体４００と、ケース本体４００の上に被せられる箱形のケース蓋４０１とを組み立てて構成される。但し、入力端子台４１、出力端子台、信号端子台４２が実装されたプリント配線板の長手方向における両端部はケース蓋４０１で覆われていない。
【００２６】
取付板６は、鋼板などの金属板により矩形（正方形）板状に形成されている。但し、取付板６は、４つの辺が同じ向き（下向き）に曲げ起こされることで強度の向上が図られている。そして、３つの光源ユニット３は、長手方向が前後方向に揃えられ、左右方向に沿って等間隔に並んだ状態で、ねじ止めなどの適宜の方法によって取付板６の下面に取り付けられる。また、電源装置４は、隣り合う２つの光源ユニット３の間において、ねじ止めなどの適宜の方法によって取付板６の下面に取り付けられる。
【００２７】
また、取付板６は、図４に示すように、取付板６から下向き（取付板６と交差する向き）に突出する支持片６０と、支持片６０の先端（下端）から側方（支持片６０と交差する方向）に突出する差込片６１とを有している。これらの支持片６０及び差込片６１は、取付板６の一部を切り起こすことにより形成される。差込片６１は、前後方向に長い矩形板状であって、図４及び図５に示すように、先端角部に面取りを施すことにより先端に向かって幅寸法が小さくなるように形成されている。
【００２８】
さらに、取付板６は、図４に示すように、各差込片６１の近傍に設けられ、反射部材５を取付板６に取り付ける際のガイドとして機能するガイド部６２を有している。このガイド部６２は、取付板６の一部を切り起こすことにより形成され、取付板６から下向きに突出する支持片６２０と、支持片６２０の前端且つ下端側の部位を左右方向に折り曲げることで形成される傾斜片６２１とを有する。
【００２９】
また、差込片６１及び傾斜片６２１は、上下方向（取付板６と直交する方向）において差込片６１が上側、傾斜片６２１が下側となるように重ねて配置され、且つ傾斜片６２１を差込片６１に接触させている。ここに、傾斜片６２１の形状は、図４及び図５に示すように、支持片６０と差込片６１の連接部分から差込片６１の先端に向けて上下方向における突出量が小さくなるように傾斜する三角形状となっている。
【００３０】
反射部材５は、隣り合う光源ユニット３の間に生じる２箇所のスペースにそれぞれ配置される。これらの反射部材５は同一の構成を有し、図５及び図６に示すように、一対の反射板５０と、各反射板５０の上端から上向きに延びる一対の側板５１とが、長方形状の金属板を曲げ加工することで一体に形成されている。一対の反射板５０は、短手方向における一方の端縁同士が繋がっており、長手方向（前後方向）から見てＶ字状に形成されている。
【００３１】
側板５１は、長手方向（前後方向）の両端における先端（上端）近傍にそれぞれＴ字状に開口する差込孔５１０が設けられている。また、側板５１の先端には、側板５１の端縁部分を内向き（互いに近づく向き）に折り曲げることで側板５１と対向する折り返し板５２が一体に形成されている（図６参照）。
【００３２】
さらに、折り返し板５２において側板５１の差込孔５１０と対向する位置には、図５に示すように、前後方向における開口寸法が差込孔５１０よりも小さい差込溝５２０が設けられている。ここに、本実施形態では、前後方向における差込溝５２０の両側の開口端縁が、上下方向における一端側（図５中の上側）から他端側（図５中の下側）に向けて互いの間隔が狭くなるように傾斜している。なお、反射部材５を取付板６に取り付ける手順については後述する。
【００３３】
取付板６に取り付けられた電源装置４は、取付板６に取り付けられた一方（図２における右側）の反射部材５で覆い隠される。このように、反射部材５と取付板６で囲まれるデッドスペースに電源装置４が配置されるため、電源装置４が取付板６の背面（上面）に取り付けられる場合と比較して、光源ブロック２の低背化を図ることができる。ここに、本実施形態では、取付板６により取付部が構成されている。
【００３４】
支持ブロック１は、角筒状の枠体１０と、矩形平板状のベース板（底板）１１とが結合されることにより、下面が開放された矩形箱状に形成される。
【００３５】
枠体１０は、左右方向に対向する一対の第１側板１００と、前後方向に対向する一対の第２側板１０１と、フランジ１０２とを有する。第１側板１００は、矩形板状の縦板１０００と、縦板１０００の下端縁から斜め下向きに突出する傾斜板１００１と、縦板１０００の上端縁から傾斜板１００１と反対向き且つ水平に突出する取付片１００２とが鋼板などの金属板で一体に形成されている。
【００３６】
また、第２側板１０１は、台形状の縦板１０１０と、縦板１０１０の上端縁から内向き且つ水平に突出する取付片１０１１と、縦板１０１０の左右方向における両端から上向きに突出する一対の接合片１０１２とが、鋼板などの金属板で一体に形成されている。
【００３７】
第１側板１００は、長手方向（前後方向）における両端に第２側板１０１がそれぞれ接合される。すなわち、第２側板１０１の接合片１０１２が第１側板１００の縦板１０００に溶接されることにより、第１側板１００と第２側板１０１とが接合される。
【００３８】
フランジ１０２は、金属板が加工されることで矩形枠状に形成され、第１側板１００及び第２側板１０１の下端縁に接合される。
【００３９】
ベース板１１は、鋼板などの金属板により矩形板状に形成されている。但し、ベース板１１は、４つの辺が同じ向き（下向き）に曲げ起こされることで強度の向上が図られている。
【００４０】
また、ベース板１１は、給電用の電源線が挿通される第１挿通孔１１０と、調光用の制御信号などを伝送する信号線が挿通される第２挿通孔１１１とが設けられている。第１挿通孔１１０に挿通される電源線（図示せず）は、ベース板１１の下面に固定される第１端子台７に接続される。第１端子台７は、図示しない接続部に電線（図示せず）の一端が接続される。そして、この電線の他端が電源装置４の入力端子台４１に接続される。故に、商用電源から第１端子台７を介して電源装置４に交流電力が給電される。
【００４１】
また、ベース板１１の下面には、第２端子台８も固定される。第２端子台８は、第２挿通孔１１１に挿通される信号線（図示せず）と、電源装置４の信号端子台４２に接続される信号線とがそれぞれ接続される。つまり、図示しない調光器から信号線を介して伝送される調光信号が第２端子台８を通して電源装置４の信号端子台４２に入力される。
【００４２】
電源装置４は、調光信号に対応して、出力（直流電力）を定格値から減少させることで各光源ユニット３を調光するように構成されている。さらに、ベース板１１は、吊りボルト（図示せず）が挿通される複数（図２では３つ）のボルト挿通孔１１２が左右方向に一列に並べて設けられている。
【００４３】
ところで、ベース板１１は、左右方向における両端に、複数（図２では左右に２つずつで合計４つ）の取付部１２が前後方向に間隔を空けて設けられている。すなわち、これら４つの取付部１２により、ベース板１１が枠体１０の取付片１００２に取り付けられる。
【００４４】
支持ブロック１は、ベース板１１のボルト挿通孔１１２に挿通される吊りボルトにナット（図示せず）が締め付けられて吊りボルトに固定される。そして、支持ブロック１は、枠体１０のフランジ１０２が天井板の下面側（照明空間側）に露出し、且つその他の部分が天井板の埋込孔に挿入された状態に配置される。つまり、フランジ１０２は、埋込孔の周縁と支持ブロック１との間に生じる隙間を塞いで隠すために設けられている。
【００４５】
また、枠体１０の各取付片１０１１には、いわゆるラッチ（図示せず）が左右方向に間隔を空けて２つずつ取り付けられている。ラッチは、幅細の直方体状に形成された摘まみと、摘まみを回転可能に支持する支持部とを有する。そして、ラッチは、取付片１０１１に設けられる取付孔（図示せず）に支持部が挿通されて取付片１０１１に取り付けられる。
【００４６】
一方、取付板６の前後方向における両端には、ラッチの摘まみが挿通可能な寸法を有する矩形の挿通孔６３（図２参照）がそれぞれ２つずつ設けられている。すなわち、埋込孔に埋め込まれた支持ブロック１内に光源ブロック２を収納する際、取付板６の各挿通孔６３に挿通されたラッチの摘まみが９０度回転されることにより、挿通孔６３に対して摘まみが抜け止めされる。
【００４７】
したがって、光源ブロック２は、４つのラッチによって支持ブロック１（枠体１０の一対の取付片１０１１）に取り付けられる。但し、上述のようなラッチは従来周知であるから、詳細な構成の図示並びに説明は省略する。ここに、本実施形態では、枠体１０及びベース板１１からなる支持ブロック１と、光源ブロック２の取付板６とで器具本体が構成されている。
【００４８】
ところで、本実施形態の照明器具では、天井板の埋込孔に埋め込まれた支持ブロック１内に光源ブロック２を収納する際、取付板６の挿通孔６３にラッチの摘みを通すため、取付板６から反射部材５を一旦取り外すことになる。その後、支持ブロック１内に収納された光源ブロック２の取付板６に対して反射部材５を再度取り付けることになるが、この際、隣り合う光源ユニット３の間の狭いスペースで取付作業を行うことになる。そのため、反射部材５を取付板６に取り付けた状態で、差込孔５１０に対する差込片６１の差し込みが不十分となる可能性があった。
【００４９】
そこで、本実施形態では、反射部材５の落下を抑えるための突出片５１１を反射部材５に設けている。以下、具体的に説明する。
【００５０】
反射部材５は、図５及び図６に示すように、各側板５１の一部を切り起こすことにより、前後方向に長く且つ矩形状に形成された一対の突出片５１１を有している。各突出片５１１は、上側の１辺において側板５１に連結されており、この１辺を支点として外向きに折り曲げることにより形成される。また、各突出片５１１の先端部はＲ形状となっており、そのため反射部材５を取付板６に取り付ける際に各突出片５１１がカバー３２の各延出部３２２に接触しても、カバー３２に傷が付きにくいという利点がある。
【００５１】
次に、反射部材５を取付板６に取り付ける手順について、図１Ａ〜図１Ｃ、図３及び図５を参照しながら具体的に説明する。なお、図１Ａ〜図１Ｃでは、反射部材５の一方の側板５１のみを図示しているが、他方の側板５１についても同じ手順により取り付けられるため、ここでは図示及び説明を省略し、一方の側板５１についてのみ説明する。また、図１Ａ〜図１Ｃでは、図示を簡略化するため、ガイド部６２の図示を省略している。
【００５２】
支持ブロック１内に収納された光源ブロック２の取付板６に対して、施工者が下側から反射部材５を近づけていくと、側板５１の上端縁（側板５１と折り返し板５２との折り曲げ部位）がガイド部６２の傾斜片６２１に接触する。このとき、図１Ａに示すように、側板５１の突出片５１１がカバー３２の延出部３２２の表面に接触する。
【００５３】
上述の状態から、施工者が反射部材５を取付板６側（上側）にさらに押し込むと、側板５１が傾斜片６２１の斜辺に沿って上向きに移動するとともに内側に撓められる。このとき、図１Ｂに示すように、側板５１の突出片５１１がカバー３２の延出部３２２の表面に沿って上向きに移動するとともに内側（側板５１側）に撓められる。
【００５４】
そして、施工者が反射部材５を取付板６側にさらに押し込み、側板５１の差込孔５１０が取付板６の差込片６１と向かい合う位置までくると、側板５１の反力によって側板５１が元の位置まで復帰し、差込片６１及びガイド部６２が差込孔５１０に差し込まれる。その結果、反射部材５が取付板６に取り付けられ、照明器具の施工が完了する（図３参照）。
【００５５】
このとき、図１Ｃに示すように、突出片５１１の反力によって突出片５１１が元の位置に復帰する。またこのとき、突出片５１１は、上下方向（取付板６と直交する方向）における延出部３２２よりも上側（取付板６側）に配置され、且つ延出部３２２に接触していない。従って、反射部材５が取付板６から外れた場合でも突出片５１１が延出部３２２に引っ掛かり、反射部材５が落下するのを抑えることができる。
【００５６】
ここに、反射部材５を取付板６に取り付けた状態では、図５に示すように、差込片６１が折り返し板５２に設けた差込溝５２０内に差し込まれるとともに、差込溝５２０の前後方向における両側の開口端縁に接触している。これにより、反射部材５が前後方向にがたつくのを抑えることができる。
【００５７】
本実施形態によれば、取付板６から反射部材５が外れた場合でも突出片５１１が延出部３２２に引っ掛かるので、取付板６に対する反射部材５の取り付けが不十分であったとしても、突出片５１１によって反射部材５が落下しにくくなる。また、本実施形態のように、各側板５１に突出片５１１を設けた場合、反射部材５をより確実に保持することができる。
【００５８】
なお、本実施形態では、天井板に設けられた埋込孔に器具本体が埋め込まれる天井埋込型の照明器具を例に説明したが、本発明の技術思想が適用可能な照明器具は天井埋込型の照明器具に限らず、例えば天井板に直付けされる天井直付け型の照明器具であってもよい。また、本実施形態では、反射部材５の各側板５１に突出片５１１を設けたが、光源ユニット３が片方にしかない場合には対向する側板５１にのみ突出片５１１を設けてあればよく、本実施形態に限定されない。
【００５９】
さらに、本実施形態では、反射部材５を取付板６に取り付けた状態で突出片５１１が延出部３２２に接触していないが、反射部材５が取付板６から外れた場合に反射部材５が落下しないようになっていればよく、突出片５１１が延出部３２２に接触していてもよい。
【００６０】
以上説明したように、本実施形態の照明器具は、光源ユニット３と、反射部材５と、光源ユニット３及び反射部材５を保持する器具本体（支持ブロック１及び取付板６）とを備える。前記器具本体は、平板状に形成された取付板６（取付部）の一面に光源ユニット３及び反射部材５が交互に並ぶように取り付けられる。光源ユニット３は、ＬＥＤモジュール３０（光源）と、透光性を有する材料からなりＬＥＤモジュール３０から放射される光を透過させるカバー３２とを有する。カバー３２は、ＬＥＤモジュール３０と対向するように配置される透光部３２０と、光源ユニット３及び反射部材５が並ぶ配列方向における透光部３２０の両端から透光部３２０と連続するように延出する一対の延出部３２２とを具備する。反射部材５は、少なくとも一部が取付板６から離れるほど互いの間隔が狭くなるように傾斜する一対の反射板５０と、一対の反射板５０の各々における取付板６側の端縁から取付板６側に延びる一対の側板５１とを具備する。一対の側板５１のうち光源ユニット３と対向する少なくとも一方の側板５１には、突出片５１１が設けられている。突出片５１１は、光源ユニット３が取り付けられた取付板６に反射部材５を取り付ける際には、一対の延出部３２２のうち対向する延出部３２２に接触する。また、突出片５１１は、取付板６に反射部材５を取り付けた状態では、取付板６と直交する方向における延出部３２２よりも取付板６側に配置される。
【００６１】
上記構成によれば、取付板６から反射部材５が外れた場合でも突出片５１１が延出部３２２に引っ掛かるので、取付板６に対する反射部材５の取り付けが不十分であったとしても、突出片５１１によって反射部材５が落下しにくくなるという利点がある。
【００６２】
また、本実施形態の照明器具のように、少なくとも２つの光源ユニット３が前記配列方向に沿って配置されているのが好ましい。この場合、少なくとも１つの反射部材５が２つの光源ユニット３，３間に配置される。また、一対の側板５１の各々には、突出片５１１が設けられている。
【００６３】
上記構成によれば、両側板５１，５１にそれぞれ設けられた突出片５１１，５１１により反射部材５が保持されるので、反射部材５をより確実に保持することができる。
【００６４】
また、本実施形態の照明器具のように、突出片５１１は、延出部３２２に接触する先端部がＲ形状になっているのが好ましい。
【００６５】
上記構成によれば、延出部３２２に接触する先端部がＲ形状になっているので、延出部３２２に傷が付きにくいという利点がある。
【符号の説明】
【００６６】
１  支持ブロック（器具本体）
３  光源ユニット
５  反射部材
６  取付板（器具本体、取付部）
３０  ＬＥＤモジュール（光源）
３２  カバー
５０  反射板
５１  側板
３２０  透光部
３２２  延出部
５１１  突出片
【図１】
0006459120.tif 000002
【図２】
0006459120.tif 000003
【図３】
0006459120.tif 000004
【図４】
0006459120.tif 000005
【図５】
0006459120.tif 000006
【図６】
0006459120.tif 000007